(57)【特許請求の範囲】
【請求項１】
オルゴールの発音機構と接触する湾曲したシート状の拡音体を備え、前記発音機構で発生した音を前記拡音体で拡音するオルゴール用拡音器であって、
前記拡音体の対向する両端部を結合することにより筒状部が形成され、該筒状部の外面に前記発音機構を接触させて用いられ、
前記筒状部は前記拡音体の両端部を同じ面が向い合うように結合することにより形成され、前記筒状部を弧状に湾曲した状態に保持する保持部材を備え、前記オルゴールの発音機構を前記筒状部の凹曲面側の外面に接触させて用いることを特徴とするオルゴール用拡音器。
【請求項２】
オルゴールの発音機構と接触する湾曲したシート状の拡音体を備え、前記発音機構で発生した音を前記拡音体で拡音するオルゴール用拡音器であって、
前記拡音体の対向する両端部を中間部に結合することにより一対の筒状部が形成され、
該一対の筒状部の間で前記両筒状部の外面に前記発音機構を接触させて前記拡音体がＵ字状となるように、該一対の筒状部を外方から押して保持する保持部材を備えたことを特徴とするオルゴール用拡音器。
【発明の詳細な説明】
【技術分野】
【０００１】
本発明は、オルゴールの発音機構の音を拡音させるオルゴール用拡音器に関する。
【背景技術】
【０００２】
従来、基盤に固定された動力源により回転される回転体に設けられた複数のピンにより櫛歯を弾いて楽曲を演奏するオルゴールの発音機構の音を拡音させるオルゴール用拡音器であって、オルゴールの基盤に固定され弧状に湾曲したシート状の拡音体を備えるものが知られている（例えば、特許文献１参照）。
【特許文献１】特開平８−２５４９７７号公報
【発明の開示】
【発明が解決しようとする課題】
【０００３】
湾曲したシート状の拡音体を備えるオルゴール用拡音器では、拡音体の大きさに比例してオルゴールの音も大きくなる。しかしながら、従来の拡音器の構成では、拡音体を大きくすればそれだけ取扱いの不便や置き場所の制限を招来するので、拡音体を大きくすることに限界があった。
【０００４】
本発明は、以上の点に鑑み、拡音体自体を大きくしても、拡音器全体としては大型にならずコンパクトに構成できるオルゴール用拡音器を提供することを目的とする。
【課題を解決するための手段】
【０００５】
本発明の第１の態様は、オルゴールの発音機構と接触する湾曲したシート状の拡音体を備え、前記発音機構で発生した音を前記拡音体で拡音するオルゴール用拡音器であって、前記拡音体の対向する両端部を結合することにより筒状部が形成され、該筒状部の外面に前記発音機構を接触させて用いられ、前記筒状部は前記拡音体の両端部を同じ面が向い合うように結合することにより形成され、前記筒状部を弧状に湾曲した状態に保持する保持部材を備え、前記オルゴールの発音機構を前記筒状部の凹曲面側の外面に接触させて用いることを特徴とする。
【０００６】
本発明の第１の態様によれば、シート状の拡音体の対向する両端部を結合し筒状部を形成するため、拡音体を従来の半分程度の大きさにすることができ、オルゴール用拡音器の小型化を図ることができる。又、実験の結果、本発明の拡音器は、同程度の大きさのシート状の拡音体を従来のように弧状に湾曲させたものと比較して、同程度以上の拡音性能を有することが判明した。
【０００７】
従って、本発明の第１の態様のオルゴール用拡音器によれば、従来の拡音器の拡音性能と同程度以上の拡音性能を発揮できると共に、拡音器全体の小型化を図ることができる。例えば、シート状の拡音体の大きさを従来の約２倍にしても、拡音器全体を従来のものと同程度の大きさに収めることができる。
【０００８】
又、前記筒状部は拡音体の両端部を同じ面が向い合うように結合することにより形成され、筒状部を弧状に湾曲した状態に保持する保持部材を備え、オルゴールの発音機構を筒状部の凹曲面側の外面に接触させている。保持部材により筒状部を弧状に湾曲させると凹曲面と凸曲面とが形成されるが、筒状部の凹曲面側の外面にオルゴールの発音機構を接触させて用いることにより、音を最も大きく拡音させることができる。
【０００９】
本発明の第２の態様は、オルゴールの発音機構と接触する湾曲したシート状の拡音体を備え、前記発音機構で発生した音を前記拡音体で拡音するオルゴール用拡音器であって、前記拡音体の対向する両端部を中間部に結合することにより一対の筒状部が形成され、該一対の筒状部の間で前記両筒状部の外面に前記発音機構を接触させて前記拡音体がＵ字状となるように、該一対の筒状部を外方から押して保持する保持部材を備えたことを特徴とする。
【００１０】
本発明の第２の態様によれば、拡音体の対向する両端部を拡音体の中間部に結合することにより一対の筒状部を形成するため、拡音体を従来の４分の１程度の大きさにすることができ、より小型化を図ることができる。又、実験の結果、本発明の拡音器は、同程度の大きさのシート状の拡音体を従来のように弧状に湾曲させたものと比較して、同程度以上の拡音性能を有することが判明した。
【００１１】
従って、本発明の第２の態様のオルゴール用拡音器によれば、従来の拡音器の拡音性能と同程度以上の拡音性能を発揮できると共に、拡音器全体の小型化を図ることができる。例えば、シート状の拡音体の大きさを従来の約４倍にしても、拡音器全体を従来のものと同程度の大きさに収めることができる。
【発明を実施するための最良の形態】
【００１２】
［第１実施形態］
図１及び図２を参照して、本発明のオルゴール用拡音器の第１実施形態を説明する。図１に示すように、第１実施形態のオルゴール用拡音器１は、１枚のポリプロピレン樹脂製の矩形シートからなる拡音体２と、一対の細長い固定板３ａ，３ｂを重合わせて構成される固定部材３とを備える。
【００１３】
拡音体２は、その両端部を中間部に向い合せ（重合せ）一対の固定板３ａ，３ｂで挟み込んで結合（固定）される。これにより、固定部材３の短手方向両側に拡音体２の筒状部２１が一対形成される。
【００１４】
図において下方の固定板３ｂの下面には、固定部材３の短手方向両側に張り出す張出板４１が設けられている。この張出板４１には、固定部材３の短手方向側縁から間隔を存して両側に２本ずつ合計４本の上方へ延びる押え棒４２が設けられている。拡音体２の一対の筒状部２１は、両側の押え棒４２により外方から押されて上方へ湾曲し、拡音体２が固定部材３で固定された部分を底としてＵ字状となる。換言すれば、各筒状部２１は、対向する側に凹曲面２１ａが形成され、その反対側に凸曲面２１ｂが形成される。この第１実施形態では、押え棒４２が本発明における保持部材に相当する。又、張出板４１の下面から２本の脚部５ａが下方へ延びて、スタンド５に連結されている。
【００１５】
オルゴールの発音機構（ムーブメント）６は、一対の筒状部２１，２１の間に位置させて固定部材３上に設置される。図２に示すように、発音機構６は、楕円形板状の化粧プレート７１と、この化粧プレート７１の下面にネジ止めされた基盤本体７２とで構成される基盤７を備える。
【００１６】
基盤本体７２の下面には、駆動源としてのゼンマイと、ゼンマイにより伝達歯車列を介して回転駆動される回転体としてのシリンダと、歯が弾かれることにより音を出す櫛歯とで構成されるムーブメント本体８が設けられている。
【００１７】
化粧プレート７１には孔部７１ａが設けられ、この孔部７１ａからゼンマイを巻く巻ネジ８ａが上方に露出している。ムーブメント本体８のシリンダの外周面には、楽曲の譜面に対応して複数のピンが設けられている。巻ネジ８ａを巻くことで蓄勢されたゼンマイがシリンダを回転させ、シリンダのピンが櫛歯の歯を弾いて楽曲が演奏される。
【００１８】
又、化粧プレート７１の下面には下方へ延びる２本の脚部９ａが設けられ、脚部９ａの下端には設置台９が設けられている。設置台９は固定部材３上に載せるだけでもよく、又、ネジ止めや磁石等により固定させてもよい。設置台９を固定部材３上に載せるだけにする場合には、例えば、固定部材３上に凸部を設け、設置台９の下面に凸部に嵌合する凹部を設けて位置決めできるようにしてもよい。
【００１９】
化粧プレート７１の周縁は、一対の筒状部２１，２１の間で弧状に湾曲した各筒状部２１の対向する側（凹曲面２１ａ側）の外面に接触している。化粧プレート７１が一対の筒状部２１，２１に挟み込まれるため、設置台９を固定部材３上に載せるだけでも発音機構６は安定して起立し、又、化粧プレート７１を両筒状部２１，２１に適度に接触させて、発音機構６の音を拡音させることができる。
【００２０】
第１実施形態のオルゴール用拡音器１によれば、拡音体２の対向する両端部を中間部に向い合せて（重合せて）固定部材３により結合し固定して一対の筒状部２１，２１を形成するため、シート状の拡音体２を、従来の弧状に湾曲させた拡音体と比較して、４分の１程度の大きさにすることができる。又、実験の結果、第１実施形態の拡音器１は、同程度の大きさのシート状の拡音体を従来の弧状に湾曲させたものと比較しても、同程度以上の拡音性能を有することが判明した。
【００２１】
従って、第１実施形態の拡音器１は、従来の拡音器の拡音性能と同程度以上の拡音性能を発揮できると共に、オルゴール用拡音器１の小型化を図ることができる。具体的には、拡音体２を従来よりも約４倍大きくしても、従来のオルゴール用拡音器と同程度の大きさに収めることができる。
【００２２】
又、設置台９を固定部材３から簡単に取り外せるようにすることで、オルゴールの発音機構６を容易に交換することができ、１台のオルゴール用拡音器１で様々な楽曲を楽しむことができる。
【００２３】
又、オルゴールの発音機構６をオルゴール用拡音器１に設置したまま巻ネジ８ａを回すと、ネジ回し音が拡音され、利用者に不快感を与える虞がある。しかしながら、第１実施形態では、オルゴールの発音機構６を容易にオルゴール用拡音器１から取り外して、ムーブメント本体８のゼンマイを巻くことができる。これにより、ネジ回し音が拡音されるのを防止することができる。
【００２４】
尚、第１実施形態のオルゴール用拡音器１では、１枚のシートからなる拡音体２を用いたものを説明したが、２枚のシート状拡音体２を用いて、拡音体２の同一面上であって対向する両端部を向い合せて（重合せて）固定部材３で結合・固定することにより、一対の筒状部２１を形成してもよい。これによっても、従来の弧状に湾曲させたシート状の拡音体２を一対設けたものと比較して、半分程度の大きさとすることができ、同様に本発明の効果を得ることができる。
【００２５】
又、第１実施形態においては、一対の筒状部２１，２１を形成しているが、１枚の拡音体２の同一平面上であって対向する両端部を向い合せて結合し１つの筒状部２１だけ形成して、１つの筒状部２１の凹曲面２１ａ側の外面に化粧プレート７１を接触させてもよく、これによっても同様に本発明の効果を得ることができる。この場合、化粧プレート７１を筒状部２１の凹曲面２１ａ側の外面に接触させることにより、発音機構６の音を最も大きく拡音させることができる。又、設置台９を固定部材３上に固定させれば、オルゴールの発音機構６が固定部材３上から落ちることを防止できる。
【００２６】
又、第１実施形態のものでは、化粧プレート７１の周縁と筒状部２１との接触面積を増減させることにより音の大きさ等を微調節することができる。そこで、押え棒４２と拡音体２の筒状部２１との間に様々な厚さのスペーサを着脱自在に介設できるようにし、筒状部２１が外側から押え付けられる力を微調整すれば、筒状部２１と化粧プレート７１の周縁との接触面積を微調節することができ、利用者の好みに合わせて音の大きさ等を容易に調節することができる。この場合、スペーサに押え棒４２を挿通自在な孔部を設け、この孔部に押え棒４２を挿通しスペーサを保持させればよい。
【００２７】
又、第１実施形態では、化粧プレート７１の周縁を拡音体２の筒状部２１に接触させているが、基盤本体７２を拡音体２の筒状体に接触させるように構成しても同様に本発明の効果を得ることができる。
【００２８】
又、第１実施形態では、オルゴールの発音機構６の動力源としてゼンマイを用いたものを説明したが、これに限られず、例えば、動力源として電動モータを用いたものにも同様に本発明を適用することができる。
【００２９】
又、第１実施形態では、シート状の拡音体２としてポリプロピレン樹脂製のものを用いているが、拡音体２は湾曲自在なシート状で拡音性を発揮できるものであればよく、例えば、他の合成樹脂製、或いは紙や金属製等であってもよい。又、拡音体２は矩形状でなくてもよく、例えば、８の字状のものや楕円形状、台形状のものでも同様に本発明の効果を得ることができる。又、第１実施形態では、左右対称の大きさの筒状部２１，２１を図示したが、左右非対称の大きさとしてもよい。
【００３０】
［第２実施形態］
第１実施形態のオルゴール用拡音器１においては、オルゴールの発音機構６を固定部材３の上面に載置しているが、オルゴールの発音機構６の設置方法はこれに限られない。例えば、図３に示す第２実施形態のオルゴール用拡音器１のように、オルゴール用拡音器１を横向きに配置し、スタンド５上に載置された設置台９から延びる一対のアーム部９ｂの先端に取り付けたオルゴールの発音機構６を、横方向から拡音器１の一対の筒状部２１，２１の間に配置するように構成しても、同様に本発明の効果を得ることができる。
【図面の簡単な説明】
【００３１】
【図１】本発明のオルゴール用拡音器の第１実施形態を示す斜視図。
【図２】第１実施形態のオルゴール用拡音器を示す説明図。
【図３】本発明のオルゴール用拡音器の第２実施形態を示す斜視図。
【符号の説明】
【００３２】
１…オルゴール用拡音器、  ２…拡音体、  ２１…筒状部、  ２１ａ…凹曲面、  ２１ｂ…凸曲面、  ３…固定部材、  ３ａ，３ｂ…固定板、  ４１…張出板、  ４２…押え棒（保持部材）、  ５…スタンド、  ５ａ…脚部、  ６…オルゴールの発音機構（ムーブメント）、  ７…基盤、  ７１…化粧プレート、  ７１ａ…孔部、  ７２…基盤本体、  ８…ムーブメント本体、  ８ａ…巻ネジ、  ９…設置台、  ９ａ…脚部、  ９ｂ…アーム部。
【図１】
0004884426.tif 000002
【図２】
0004884426.tif 000003
【図３】
0004884426.tif 000004